(57)【要約】【課題】表示装置における静電気対策に関する技術であって、表示装置の側面側や背面側からの静電気の表示装置内部への侵入を抑制する技術を提供する。【解決手段】所定のデータを表示する表示部と、前記表示部における前記所定のデータが表示される表示領域を除く外側面の一部または該外側面の全部を保護する絶縁体からなる保護部と、前記保護部の更に外側に該表示部を覆うように設けられ、静電気の該表示部内への侵入を抑制する導電体からなる抑制部と、を備え、前記抑制部は、該抑制部に印加される静電気を放出する放出部であって、基準電位点としてのグランド部に接続される放出部を有し、前記表示部の周囲からの静電気の印加が想定される領域に設けられることで、該表示部の周囲から印加される静電気の該表示部内への侵入を抑制する。【選択図】図４
2010015009.tif 000002
【特許請求の範囲】
【請求項１】
所定のデータを表示する表示部と、
前記表示部における前記所定のデータが表示される表示領域を除く外側面の一部または該外側面の全部を保護する絶縁体からなる保護部と、
前記保護部の更に外側に該表示部を覆うように設けられ、静電気の該表示部内への侵入を抑制する導電体からなる抑制部と、を備え、
前記抑制部は、該抑制部に印加される静電気を放出する放出部であって、基準電位点としてのグランド部に接続される放出部を有し、前記表示部の周囲からの静電気の印加が想定される領域に設けられることで、該表示部の周囲から印加される静電気の該表示部内への侵入を抑制する表示装置。
【請求項２】
前記表示装置は、所定のデータを処理するデータ処理装置に搭載され、
前記データ処理装置は、静電気の印加が想定される電子部品を有し、
前記抑制部が設けられる静電気の印加が想定される領域とは、前記電子部品の近傍であり、
前記抑制部は、前記電子部品を介して印加される静電気の前記表示部内への侵入を抑制する、請求項１に記載の表示装置。
【請求項３】
前記データ処理装置は、前記表示装置の近傍に所定のデータの入出力を行うための接続端子であって、前記電子部品としての接続端子を有し、
前記静電気の印加が想定される領域とは、前記接続端子の近傍であり、
前記抑制部は、前記接続端子を介して印加される静電気の前記表示部内への侵入を抑制する、請求項２に記載の表示装置。
【請求項４】
前記表示装置は、車両に設置される、所定のデータを処理するデータ処理装置に搭載され、
前記放出部は、前記車両の一部であって、導電体からなる前記グランド部としての車両の一部に接続される、請求項１から請求項３のいずれか一に記載の表示装置。
【請求項５】
所定のデータを処理する処理部と、
前記処理部によって処理される所定のデータを表示する表示部と、
前記表示部における前記所定のデータが表示される表示領域を除く外側面の一部または該外側面の全部を保護する絶縁体からなる保護部と、
前記保護部の更に外側に該表示部を覆うように設けられ、静電気の該表示部内への侵入を抑制する導電体からなる抑制部と、を備え、
前記抑制部は、該抑制部に印加される静電気を放出する放出部であって、基準電位点としてのグランド部に接続される放出部を有し、前記表示部の周囲からの静電気の印加が想定される領域に設けられることで、該表示部の周囲から印加される静電気の該表示部内への侵入を抑制する、データ処理装置。
【発明の詳細な説明】
【技術分野】
【０００１】
本発明は、表示装置及びデータ処理装置に関する。
【背景技術】
【０００２】
オーディオ機器等の液晶表示装置の静電気対策に関する技術として例えば特許文献１に記載の技術が知られている。特許文献１に記載の液晶表示装置は、それぞれ一面側に導電電極が形成され、これら導電電極を対向させた第一及び第二の基板と、これら第一及び第二の基板間に挟持された液晶組成物と、第一及び第二の基板の他面側に設けられた偏光板とを備えており、第一及び第二の基板間にバリスタ特性（比較的高電圧となる静電気による帯電時には導通をもつ特性）を示すセラミックスが挟持されている。特許文献１に記載の技術では、上記構成を採用することで、製造工程で発生する静電気の帯電による表示濃度のむらの発生が抑制される。
【特許文献１】特開平５−１５８０７５号公報
【発明の開示】
【発明が解決しようとする課題】
【０００３】
液晶表示装置に代表される表示装置は、近年、オーディオ装置等の様々な電子機器に設けられている。一方、表示装置では、製造過程や使用時において、静電気が印加されることによる回路の破損や画面の歪み等が懸念されており、このような静電気による影響を低減する技術開発が進められている。
【０００４】
ここで、図１は、従来の表示装置の一例の正面図を示す。図２は、図１におけるＡＡ断面図を示す。この従来の表示装置１ｘは、車両に搭載されるオーディオ装置６ｘに組み込まれており、例えば楽曲に関する情報等の所定のデータを表示する表示部２ｘと、表示部２ｘの裏面２２ｘと裏面２２ｘ及び左右面２５ｘを被覆する絶縁体からなるシート状の保護部３ｘと、表示部２ｘをオーディオ装置６ｘに固定する固定部５ｘと、によって構成されている。更に、この従来の表示装置１ｘが組み込まれるオーディオ装置６ｘは、表示装置１ｘの下方に、所定のデータの入出力を行うための接続端子６６ｘが設けられている。このような従来の表示装置１ｘにおける静電気の影響について説明すると、この従来の表示装置１ｘでは、仮に接続端子６６ｘに静電気が印加されると、印加された静電気が表示部２ｘ内に侵入し、その結果、画面が揺れるといったことが懸念される。すなわち、上記従来の表示装置１ｘでは、表示部２ｘの裏面２２ｘを被覆する保護部３ｘと表示部２ｘの下面２４ｘを被覆する保護部３ｘとの間に隙間２９ｘがあり、この隙間２９ｘを介して接続端子６６ｘに印加された静電気が表示部２ｘの内部に侵入することが懸念される。
【０００５】
また、上記従来の表示装置１ｘの場合には、接続端子６６ｘに静電気が印加された場合を例に説明したが、表示部２ｘ内への静電気の侵入は、接続端子６６ｘからによるものに限られない。すなわち、表示部２ｘの周囲に操作部等が設けられている場合には、操作部から静電気が印加されることも想定される。なお、表示部への静電気対策として、表示部を構成する回路に比較的高電圧となる静電気による帯電時には導通をもつバリスタやコンデンサ等の電気部品を設けることが知られている。しかしながら、上記のように接続端子６６ｘ若しくは表示部２ｘの近傍に設けられた操作部等を介して印加される静電気に関しては、表示部２ｘ内で静電気対策を講じるよりは、むしろ表示部２ｘ内への静電気の侵入を抑制できる方がその効果が期待できる。
【０００６】
本発明では、上記した背景に鑑み、表示装置における静電気対策に関する技術であって、表示装置の側面や背面側からの静電気の表示装置内部への侵入を抑制する技術を提供す
ることを課題とする。
【課題を解決するための手段】
【０００７】
本発明では、上述した課題を解決するため、表示装置を構成する表示部における所定のデータが表示される以外の領域のうち、静電気の印加が予想される領域について、絶縁体で覆うと共に、更にその絶縁体の表面を導電体からなる抑制部で覆い、かつ、この抑制部を接地することとした。
【０００８】
より詳細には、本発明に係る表示装置は、所定のデータを表示する表示部と、前記表示部における前記所定のデータが表示される表示領域を除く外側面の一部または該外側面の全部を保護する絶縁体からなる保護部と、前記保護部の更に外側に該表示部を覆うように設けられ、静電気の該表示部内への侵入を抑制する導電体からなる抑制部と、を備え、前記抑制部は、該抑制部に印加される静電気を放出する放出部であって、基準電位点としてのグランド部に接続される放出部を有し、前記表示部の周囲からの静電気の印加が想定される領域に設けられることで、該表示部の周囲から印加される静電気の該表示部内への侵入を抑制する。
【０００９】
本発明に係る表示装置では、表示部の外側面に表示部を保護する保護部が設けられ、更に、この保護部の外側に導電体からなる抑制部が設けられ、この抑制部が基準電位点としてのグランド部に接続される。これにより、本発明に係る表示装置では、表示装置の周囲で発生した静電気が表示装置に印加された場合であっても、静電気は抑制部に印加され、抑制部に印加された静電気は、基準電位点としてのグランド部に接続された放出部から外部へ放出される。すなわち、本発明に係る表示装置によれば、静電気が表示部内に侵入することなく表示装置の外部へ放出されることから、表示部を構成する回路の破損や画面の歪みといった静電気による影響を低減することができる。
【００１０】
表示部は、所定のデータを表示する。所定のデータには、文字情報や動画情報が含まれ、表示部は、表示装置が機能する上で必要な情報を表示する。例えば、表示装置がオーディオ装置等に組み込まれている場合には、所定のデータとして、曲名、歌手名の他、動画等が例示される。なお、表示部は、所定のデータとして、表示装置の操作に関する情報を表示してもよい。また、表示装置が例えばナビゲーション装置に組み込まれている場合には、表示部は、所定のデータとして、地図情報や経路情報等を表示することができる。
【００１１】
保護部は、表示部における前記所定のデータが表示される表示領域を除く外側面の一部または該外側面の全部を保護する。表示部は種々の回路によって構成することができるが、表示部の裏側や側部等にも表示装置を構成する他の回路等が隣接して配置される。そこで、保護部は、表示部を構成する回路が周囲に配置される他の回路を流れる電流からの影響を受けないよう表示部を保護する機能を担う。なお、保護部は、シート状、薄板状とすることができるが、保護部に厚みを持たせることで、振動する際の緩衝材としての機能を持たせるようにしてもよい。なお、表示領域を除く外側面には、表示部が正面視において略矩形の場合、表示部の裏面、上面、下面、左右面が含まれる。また、本発明において表示部が設けられる領域は、上記外側面の一部または全部である。従って、前記例で言えば、保護部は、裏面のみを保護するものでもよく、また、裏面、上面、下面、左右面の全て保護するものでもよい。
【００１２】
抑制部は、導電体によって構成され、静電気が表示部内へ侵入することを抑制する。抑制部は、帯電する静電気を放出する放出部を有しており、この放出部は、基準電位点としてのグランド部に接続されていることから、印加された静電気を外部へ放出することができる。抑制部が設けられる領域は特に限定されるものではなく、静電気の印加が想定される領域に設ければよい。ここで、本発明に係る表示部は、タッチパネルディスプレイであ
ってもよく、また、タッチパネルディスプレイの場合には、ユーザの指を介して表示部の表示領域に静電気が印加されることが想定される。但し、このようなタッチパネルディスプレイの場合、従来から透明のシート等を被覆するといった静電気対策に関する技術が提案されている。従って、本発明に係る表示装置では、表示領域以外の周囲からの静電気が想定される領域に抑制部を設けることが好ましい。なお、表示領域以外の周囲の全てから静電気の印加が想定されることも考えられる。このような場合には、表示領域以外の外側面を全て抑制部で覆うようにしてもよい。なお、抑制部は、シート状、薄板状いずれであってもよい。
【００１３】
なお、保護部と抑制部との接続は、例えば既存の接着剤によって行うことができる。抑制部は、表示部の外側面を保護部で被覆した後、この保護部の外側面に接着するようにしてもよい。但し、保護部と抑制部とを予め張り合わせておき、一体化された保護部及び抑制部を表示部の外側面に取り付けることで、作業工程を簡略化することができる。
【００１４】
ここで、本発明に係る表示装置は、各種電子機器に搭載することができる。具体的には、前記表示装置は、所定のデータを処理するデータ処理装置に搭載してもよい。データ処理装置、例えばオーディオ装置には、静電気の印加が想定される電子部品が複数設けられている。静電気の印加が想定される電子部品とは、例えば、接続端子や操作部である。データ処理装置を操作する場合、これらの電子部品にユーザの指先等を通じて静電気が印加されることが想定される。また、これらの電子部品に静電気が印加されると、これらの電子部品近傍に設けられている表示装置に静電気が更に印加されることが想定される。そこで、本発明に係る表示装置では、表示装置は、所定のデータを処理するデータ処理装置に搭載してもよい。この場合、前記データ処理装置は、静電気の印加が想定される電子部品を有し、前記抑制部が設けられる静電気の印加が想定される領域とは、前記電子部品の近傍であり、前記抑制部は、前記電子部品を介して印加される静電気の前記表示部内への侵入を抑制するようにしてもよい。
【００１５】
また、本発明に係る表示装置において、上記電子部品は、例えば、所定のデータの入出力を行うための接続端子とすることができる。この場合、前記静電気の印加が想定される領域とは、前記接続端子の近傍となり、前記抑制部は、前記接続端子を介して印加される静電気が前記表示部内へ侵入することを抑制すことができる。なお、表示部の近傍に電子部品としての操作部が設けられている場合、この操作部を介して静電気が印加されることも想定される。従って、抑制部は、操作部の近傍に設けるようにしてもよい。
【００１６】
ここで、本発明に係る前記表示装置は、車両に設置される、所定のデータを処理するデータ処理装置に搭載されるようにしてもよい。車両に搭載されるデータ処理装置には、オーディオ装置やナビゲーション装置が含まれる。近年の車両に搭載されるデータ処理装置には、所定のデータを入出力するための接続端子を備えるものも存在している。従って、本発明に係る表示装置は、このような接続端子を備える車両に設置されるデータ処理装置にも好適に用いることができる。なお、車両を構成する金属部分（ボディ等）は、基準電位点としてのグランド部として機能することから、放出部は、このような車両の一部としてのグランド部に接続することができる。
【００１７】
以上、本発明に係る表示装置について説明したが、本発明は、上述した表示装置を含むデータ処理装置としてもよい。すなわち、本発明は、所定のデータを処理する処理部と、前記処理部によって処理される所定のデータを表示する表示部と、前記表示部における前記所定のデータが表示される表示領域を除く外側面の一部または該外側面の全部を保護する絶縁体からなる保護部と、前記保護部の更に外側に該表示部を覆うように設けられ、静電気の該表示部内への侵入を抑制する導電体からなる抑制部と、を備え、前記抑制部は、該抑制部に印加される静電気を放出する放出部であって、基準電位点としてのグランド部
に接続される放出部を有し、前記表示部の周囲からの静電気の印加が想定される領域に設けられることで、該表示部の周囲から印加される静電気の該表示部内への侵入を抑制する。なお、データ処理装置には、オーディオ装置やナビゲーション装置が含まれる。
【発明の効果】
【００１８】
本発明によれば、表示装置における静電気対策に関する技術であって、表示装置の側面側や背面側からの静電気の表示装置内部への侵入を抑制する技術を提供することができる。
【発明を実施するための最良の形態】
【００１９】
次に、本発明に係る表示装置の実施形態について図面に基づいて説明する。以下の説明では、本発明に係る表示装置を車両に設置されるオーディオ装置に搭載する場合を例に説明するものとする。
【００２０】
図３は、実施形態に係る表示装置１の正面図を示す。図４は、図３におけるＡＡ断面図を示す。また、図５は、表示装置１の裏面側の斜視図を示す。実施形態に係る表示装置１は液晶表示装置（以下、単に表示装置という。）であり、車両９に搭載されるオーディオ装置６に組み込まれており、表示部２と、保護部３と、抑制部４と、固定部５と、によって構成されている。また、オーディオ装置６には、表示装置１の下方に、所定のデータの入出力を行うための接続端子６６が設けられている。なお、図３では、静電気の流れ（図において矢印で示す。）を分かり易くするため、オーディオ装置６の構成は簡略化して示されている。また、図３は、正面図であるが、抑制部４の取り付け位置が理解できるよう、抑制部４を網掛けで示している。
【００２１】
まず、表示装置１が組み込まれるオーディオ装置６（本発明のデータ処理装置に相当する。）について説明する。図６は、実施形態に係るオーディオ装置６の概略構成を示す。実施形態に係るオーディオ装置６は、車両９に搭載され、ＨＤＤに格納されているコンテンツデータや、ＣＤ（Compact Disc）／ＤＶＤ（Digital Versatile Disc）／ＢＤ（Blu-ray Disc）、ＦＭ／ＡＭ、ＴＶ等を再生可能な音声再生ユニット６１、ＤＳＰ（Digital Signal Processor）６２、表示装置１及び操作装置６３１からなるインターフェース（Ｉ／Ｆ）６３、ＣＰＵ６４１及びメモリ６４２を備える制御部６４、メインアンプ６５、所定のデータの入出力を行うための接続端子６６によって構成されている。また、メインアンプ６５には、車両９内に設置されるスピーカ８が接続されている。
【００２２】
音声再生ユニット６１は、聴取者の要求に応じて各種音声信号を出力する。音声再生ユニット６１から出力された音声信号は、図示しないＡ／Ｄコンバータによりデジタル信号に変換され、デジタル信号に変換された音声信号は、ＤＳＰ６２にて音響処理が実施され、図示しないＤ／Ａコンバータにてアナログ信号に変換され、メインアンプ６５で音声信号が増幅され、車両９内に設置されたスピーカ８より出力される。なお、音声再生ユニット６１から出力されるデータには、表示装置１で表示可能な動画データも含まれる。
【００２３】
本実施形態に係る接続端子６６は、音楽再生ユニット６１との間でコンテンツデータ（例えば、楽曲情報）を入出力するためのＲＣＡ端子からなり、オーディオ装置６の前面であって、表示装置１の下方に設けられている（図３、図４参照。）。これにより、実施形態に係るオーディオ装置６では、コンテンツデータの入出力を容易に行うことが可能である。但し、接続端子６６は、金属製部材によって構成されていることから、仮に、この接続端子６６に静電気が印加されると、接続端子６６に帯電された静電気が表示装置１に印加し、表示装置１を構成する電気回路を破損したり、画面に歪みを引き起こすことが懸念される。そこで、実施形態に係る表示装置１では、保護部２と共に抑制部４が設けられている。以下、表示装置１の詳細について説明する。
【００２４】
図３、図４に示すように、表示装置１は、表示部２と、保護部３と、抑制部４と、固定部５と、によって構成されている。表示部２は、音声再生ユニットから出力される楽曲情報や操作装置６３１のオーディオ装置６や表示装置１の操作に関する情報等を表示する。なお、表示装置１を例えばナビゲーション装置に組み込む場合には、地図情報や経路情報等を表示してもよい。本実施形態に係る表示部２は、液晶素子や駆動回路等からなる液晶パネルによって構成することができる。液晶パネルには、既存の種々の液晶パネル（例えば、ＴＦＴ方式）を採用することができる。また、表示部２は、所定のデータとしての楽曲情報等を表示できるものであればよく、液晶パネルに限定されるものではない。
【００２５】
固定部５は、表示部２をオーディオ装置６に固定する。固定部５は、その内側に表示部２を嵌め込むことが可能な枠体５と、枠体５に設けられオーディオ装置６のベース部材６７と接続する接続部５１とによって構成されている。枠体５及び接続部５１は、耐久性を考慮して金属製部材によって構成されている。枠体５は、その外郭が表示部２にあわせて矩形状であり、その四隅近傍に枠体５の外側に突出した接続部５１が設けられている。接続部５１は、夫々がプレート状であり、その中央付近には固定時に使用する螺子等の軸部が貫通する固定孔が設けられている。なお、接続部５１のうち、接続端子６６の近傍に設けられている接続部５１は、車両９本体と接続される。従って、オーディオ装置６のベース部材６７のうち、この接続部５１に対応する領域には、切り欠きが設けられている。
【００２６】
保護部３は、表示部２の正面２１以外の外側面を被覆する。表示部２の裏面２２側や下面２４側には表示装置１を構成する他の回路（例えば、操作装置を構成する電子回路）が隣接して配置される（図示せず。）。保護部３は、表示部２を構成する回路が周囲に配置される他の回路を流れる電流からの影響を受けないよう表示部２を保護する機能を担う。本実施形態に係る表示装置１では、保護部３は、表示部２の正面以外の領域、すなわち、裏面２２、上面２３、下面２４、両側面２５を被覆するが、被覆する領域は、他の回路からの影響を考慮して適宜変更することができる。保護部３は、プラスチック樹脂、ゴムといった絶縁体であればよく、その材質は特に限定されない。但し、例えば、保護部３をゴムによって構成し、適度な厚みを持たせることで、保護部３に緩衝材としての機能を更に持たせることが可能となる。車両９では振動によるオーディオ装置６への影響も想定されるため、保護部３に絶縁体として機能及び緩衝材としての機能を持たせることは有用である。
【００２７】
抑制部４は、表示部２の更に外側に設けられ、静電気の表示部２内への侵入を抑制する。具体的には、抑制部４は、金属等の導電体によって構成され、更に、抑制部４には、車両９本体の金属部分と接続される放出部４１が設けられている。これにより、接続端子６６を介して印加された静電気は、放出部４１から放出される。つまり、抑制部４に印加された静電気は、表示部２内に侵入することなく、表示部２の外部へ放出される。
【００２８】
ここで、抑制部４は、静電気の印加が想定される領域に設ければよい。本実施形態に係る表示装置１では、接続端子６６から静電気が印加されることを想定し、接続端子６６からの静電気が表示部２内へ侵入しないように抑制部４が設けられている。具体的には、抑制部４は、表示部２の裏面２２うち、接続端子６６が設けられている側の凡そ半分の領域に設けられ、更に、表示部２の上面２３及び下面２４については、裏面２２を覆う抑制部４に対応するように接続端子６６側の凡そ半分の領域に設けられている。なお、表示部２の上面２３に関しては抑制部４を設けない構成としてもよいが、表示部２の下面２４を被覆する抑制部４と対向させることでより安定的に表示部２を被覆することができる。
【００２９】
なお、保護部３と抑制部４との接続は例えば既存の接着剤によって行うことができる。また、抑制部４は、表示部２の外側面を保護部３で被覆した後、この保護部３の外側面に
接着するようにしてもよいが、保護部３と抑制部４とを予め張り合わせておき、一体化された保護部３及び抑制部４を表示部２の外側面に取り付けることで、作業工程を簡略化することができる。
【００３０】
本実施形態では、放出部４１は、表示部２の裏面２２を被覆する抑制部４の一部が外側に突出することで形成されている。より具体的には、放出部４１は、抑制部４の接続端子６６側の端部のうち、下面２４側の端部が矩形状に外側に突出することで形成され、その中央には螺子等の軸部が貫通する固定孔４２が設けられている。この放出部４１は、固定部材としての金属製の螺子などにより車両９本体の金属部分と接続される。なお、本実施形態では、放出部４１が、固定部５を構成する接続部５１の形状に合わせて設計されている。これは、固定部５を構成する接続部５１のうち、接続端子６６の近傍に設けられた接続部５１は、車両９本体に対して接続されることから、これに対応させたためである。なお、このような放出部４１の形状は、一態様にすぎず、限定されるものではない。
【００３１】
次に、本実施形態に係る表示装置１における静電気の流れについて、従来例と比較しながら図面に基づいて説明する。なお、静電気の流れは、いずれの図面においても矢印で示すものとする。まず、従来の表示装置１ｘにおける静電気の流れについて、図１、図２に基づいて説明する。接続端子６６ｘに印加された静電気は、金属製の固定部５ｘに印加される。固定部５ｘに帯電された静電気は、保護部３ｘの下面２４ｘと裏面２２ｘとの間の形成される僅かな隙間２９ｘから、表示部２ｘ内へ侵入する。これにより、従来の表示装置１ｘでは、表示部２ｘを構成する駆動回路の破損や表示部２ｘに表示される画面の歪みといったことが懸念されていた。
【００３２】
次に、本実施形態に係る表示装置１における静電気の流れについて、図３、図４に基づいて説明する。本実施形態に係る表示装置１では、接続端子６６に静電気が印加されると、印加された静電気が金属製の固定部５に印加される。ここまでの静電気の流れは、従来の表示装置１ｘにおける静電気の流れと同じである。但し、本実施形態に係る表示装置１では、固定部５と保護部３との間に抑制部４が設けられており、固定部５に印加された静電気の表示部２への侵入が抑制される。ここで、既に説明したように、本実施形態に抑制部４には放出部４１が設けられており、この放出部４１は、基準電位点として車両９の一部に金属製の螺子によって接続されている。従って、本実施形態に係る表示装置１においては、固定部５に印加された静電気は、抑制部４に印加され、抑制部４に設けられた放出部４１を介して外部（車両９本体の金属部分）へ放出される。つまり、固定部５に印加された静電気が表示部２内へ侵入することが抑制される。
【００３３】
以上説明したように、本実施形態に係る表示装置１によれば、接続端子６６に印加された静電気が、抑制部４により表示部２内への侵入が抑制される。その結果、本実施形態に係る表示装置１によれば、表示部２を構成する駆動回路等の破損や画面の歪みといった静電気による影響を低減することができる。
【００３４】
＜変形例＞
以上、本発明に係る表示装置の好適な実施形態を説明したが、本発明に係る表示装置は上述した態様に限定されるものではない。例えば、上述した実施形態に係る表示装置では、従来例に係る表示装置と同様に、表示部２の裏面２２を被覆する保護部３と、表示部２の下面２４を被覆する保護部３との間に隙間２９が形成されていた。但し、このような隙間２９を無くすことでより確実に接続端子６６から印加される静電気が表示部２内へ侵入することを抑制することができる。従って、実施形態に係る表示装置１を構成する保護部３は、表示部２の裏面２２を被覆する保護部３と、表示部２の側面（下面２４、上面、左右側面２５のうち何れか一つの側面）を被覆する保護部とが連続的に接続されるように構成してもよい。換言すると、実施形態に係る表示装置１を構成する保護部３は、表示部２
の裏面２２を被覆する保護部３と、表示部２の側面とを被覆する保護部との間に隙間２９がないように接続されていてもよい。
【００３５】
また、上述した実施例に係る表示装置１は、接続端子６６から静電気が印加されることを想定して抑制部４が設計されていた。しかし、静電気の発生原因は、接続端子６６からのものに限られない。すなわち、抑制部４を配置する領域は、静電気の印加が想定される領域に応じて適宜決定することができる。ここで、図７は、変形例に係る表示装置１ａの裏面側の斜視図を示す。この変形例に係る表示装置１ａは、抑制部４ａの形状が上述した実施形態に係る表示装置１と異なる。変形例に係る表示装置１ａでは、抑制部４ａが表示部２の正面２１以外の外側面を被覆するように形成されている。この変形例に係る表示装置１は、表示部２の周囲に操作部等の静電気の印加が想定される金属製部品等が配置されている場合に有用である。
【図面の簡単な説明】
【００３６】
【図１】従来の表示装置の一例の正面図を示す。
【図２】図１におけるＡＡ断面図を示す。
【図３】実施形態に係る表示装置１の正面図を示す。
【図４】図３におけるＡＡ断面図を示す。
【図５】表示装置の裏面側の斜視図を示す。
【図６】実施形態に係るオーディオ装置６の概略構成を示す。
【図７】変形例に係る表示装置の裏面側の斜視図を示す。
【符号の説明】
【００３７】
１・・・表示装置
２・・・表示部
３・・・保護部
４・・・抑制部
５・・・枠体部
６・・・オーディオ装置
【図１】
2010015009.tif 000003
【図２】
2010015009.tif 000004
【図３】
2010015009.tif 000005
【図４】
2010015009.tif 000006
【図５】
2010015009.tif 000007
【図６】
2010015009.tif 000008
【図７】
2010015009.tif 000009